(57)【要約】【課題】広告媒体としての家庭紙収納箱として、広告の露出・提示機会をさらに増やすことのできるより優れた広告手法を実現化できる家庭紙収納箱を提供する。【解決手段】取出口を形成するための蓋部が形成された上面部、又は当該上面部と対向する下面部の何れか一方に対し、差込用フラップが形成された側面部が連接して形成されており、上記差込用フラップが箱内部側に差し込まれることで、上記側面部が開閉自在に箱本体に対して係止されている。一般的な家庭紙収納箱では側面部が接着により係止されているため、二次利用時に側面部を開けようとした際に箱の破損が生じる虞があるが、上記のように少なくとも１つの側面部が開閉自在に係止されることで、このような破損が防止され、二次利用に好適となる。二次利用に好適となることで、箱に表示される広告の提示・露出の機会をその分増やすことができ、優れた広告手法を実現できる。【選択図】図３
2012012029.tif 000002
【特許請求の範囲】
【請求項１】
内部に家庭紙を収納し、その上面部にミシン目を伴って剥離可能に接続された蓋部が形成され、該蓋部の剥離により家庭紙を取り出すための取出口が形成されるように為された略直方体状の家庭紙収納箱であり、そのサイズが略「１５０ｍｍ×１０５ｍｍ×１８ｍｍ」とされた家庭紙収納箱であって、
上記上面部、又は当該上面部と対向する下面部の何れか一方に対し、差込用フラップが形成された側面部が連接して形成されており、上記差込用フラップが箱内部側に差し込まれることで、上記側面部が開閉自在に箱本体に対して係止されている
ことを特徴とする家庭紙収納箱。
【請求項２】
上記蓋部の一部が、ミシン目を伴わずに上記上面部に連接していることを特徴とする請求項１に記載の家庭紙収納箱。
【請求項３】
上記側面部には、上記差込用フラップの付け根部分にスリットが施され、
上記上面部又は上記下面部のうち上記側面部が連接されていない方の面部には、上記スリットに挿入されるスリット挿入用フラップが設けられており、
上記スリットに対して上記スリット挿入用フラップが挿入されることで、上記差込用フラップの差し込みによる係止と上記スリット挿入用フラップの挿入による係止との二重の係止が行われている
ことを特徴とする請求項１に記載の家庭紙収納箱。
【請求項４】
上記側面部が連接されていない方の上記面部においては、上記スリット挿入用フラップの付け根部分に対して切り込みが施されている
ことを特徴とする請求項３に記載の家庭紙収納箱。
【請求項５】
上記側面部は上記下面部に連接され、上記スリット挿入用フラップは上記上面部に形成されていることを特徴とする請求項３に記載の家庭紙収納箱。
【発明の詳細な説明】
【技術分野】
【０００１】
本発明は、例えばティッシュペーパーなどの家庭紙を取り出し可能に収納した家庭紙収納箱に関する。
【先行技術文献】
【特許文献】
【０００２】
【特許文献１】特開２００５−１１９７２８号公報
【特許文献２】特開２００５−１７０４１４号公報
【特許文献３】特開２００５−２１２８３７号公報
【背景技術】
【０００３】
いわゆるダイレクトメール（ＤＭ）やちらし等の紙媒体を用いた広告手法が広く知られている。
【０００４】
しかしながら、ＤＭやちらし等を用いた広告手法では、これらＤＭやちらし等が広告としての機能しか有しておらず、興味のない情報の掲載されたものについては即座に廃棄されてしまうといったケースが多い。
【０００５】
この点に鑑み、本出願人は、広告の露出や提示の機会を増やすための広告手法として、広告内容を表示した小型サイズのティッシュペーパー収納箱を用いた広告手法を想起した。具体的には、当該小型ティッシュペーパー収納箱を、例えば街頭で配布したり或いは住所・宛名等を記載しＤＭのように一般家庭等に送付（宅配）するといった手法である。
このとき、収納箱のサイズは、持ち帰りの容易性や送付時のコストの削減等を考慮して、一般的なティッシュペーパー製品（ボックスティッシュ）の市販サイズ（およそ１２０mm(縦)×２５０mm(横)×１１０mm(高さ)。高さについては約半分の６５mm程度のものもある。）よりも大幅に小型とすることが重要である。
【０００６】
このような広告手法とすることで、広告にティッシュペーパー製品という実用品としての付加価値（お得感）を与えることができ、単なるＤＭやちらし等を配布する広告手法とする場合よりも優れた広告手法を実現できる。つまり、ＤＭやちらしの場合のように即座に廃棄されてしまうといったことの抑止が図られ、その分、広告の露出・提示の機会を増やすことができる。
【発明の概要】
【発明が解決しようとする課題】
【０００７】
しかしながら、上記の広告手法は、例えばビニール包装された広告入りのティッシュペーパー製品を街頭で配布したりポスティングするといった従来から採られている広告手法と同程度の効果を奏するに過ぎずない。
そこで、広告の露出・提示機会をさらに増やすことのできるより優れた広告手法の実現が望まれる。
【課題を解決するための手段】
【０００８】
上記課題の解決を図るべく、本発明では、家庭紙収納箱として以下のように構成することとした。
すなわち、本発明の家庭紙収納箱は、内部に家庭紙を収納し、その上面部にミシン目を伴って剥離可能に接続された蓋部が形成され、該蓋部の剥離により家庭紙を取り出すための取出口が形成されるように為された略直方体状の家庭紙収納箱であり、そのサイズが略「１５０ｍｍ×１０５ｍｍ×１８ｍｍ」とされた家庭紙収納箱であって、
上記上面部、又は当該上面部と対向する下面部の何れか一方に対し、差込用フラップが形成された側面部が連接して形成されており、上記差込用フラップが箱内部側に差し込まれることで、上記側面部が開閉自在に箱本体に対して係止されているものである。
【０００９】
ここで、本出願人は、広告の露出・提示機会をさらに高めるための手法として、家庭紙収納箱を、その用途を終えた後（つまり内部のティッシュペーパーが使い切られた後）に二次利用できるようにすることを想起した。例えば、二次利用として、はがきの収納箱としての利用や、インターネットオークションの出品者が落札者に出品商品を送付する際の当該商品の収納箱としての利用を可能とするというものである。
上記本発明の家庭紙収納箱によれば、４つの側面部のうち少なくとも１つがフラップの差し込みにより開閉自在に係止されるので、上記のような二次利用に好適な収納箱を提供することができる。すなわち、一般的な家庭紙収納箱では側面部が接着により係止されているため、二次利用時に側面部を開けようとした際に箱の破損が生じる虞があるが、本発明では少なくとも１つの側面部が開閉自在に係止されることで、このような破損が防止され、二次利用に好適となるものである。
なお且つ、本発明の家庭紙収納箱のサイズは、持ち帰りの容易さや送料の削減の面で有利（上記によるサイズはいわゆるメール便の規定サイズに収まる）となるように設定しているので、前述したような街頭での配布や一般家庭等への送付による広告手法に好適である。
【発明の効果】
【００１０】
本発明の家庭紙収納箱によれば、４つの側面部のうち少なくとも１つを開閉自在に係止できるので、当該家庭紙収納箱の二次利用を促進することができ、それにより広告の露出や提示の機会をさらに増やすことができる。
【図面の簡単な説明】
【００１１】
【図１】実施の形態の家庭紙収納箱の外観斜視図である。
【図２】実施の形態の家庭紙収納箱の展開図である。
【図３】展開状態から筒状に組み立てた家庭紙収納箱の斜視図である。
【図４】スリットに対するスリット挿入用フラップの挿入の様子を示した図である。
【発明を実施するための形態】
【００１２】
以下、発明を実施するための最良の形態（以下実施の形態とする）について説明していく。
図１は実施の形態の家庭紙収納箱１の外観斜視図、図２は実施の形態の家庭紙収納箱１の展開図である。
ここで「家庭紙」は、ティッシュペーパーやトイレットペーパー、キッチンペーパーなどの家庭用紙製品の資材を指すものとする。本実施の形態の場合、家庭紙収納箱１には家庭紙としてティッシュペーパーが収納される場合を例示する。
【００１３】
家庭紙収納箱１は、図２に示すような１枚のカートンブランク（ブランク状のカートン）を図１に示すような略直方体状の形状に組み立てて形成される。上記カートンブランクの材料（つまり家庭紙収納箱１の材料）は、例えば板紙など紙を主体とした材料とされ、広告情報の印刷が可能とされる。
【００１４】
家庭紙収納箱１は、大まかに分けて上面部１ｕｐ、下面部１ｌｗ、前方側面部１ｆ、後方面部１ｂ、右側面部１ｒ、左側面部１ｌの６面を有する。これら各面部は長方形状とされ、組み立て後には、[上面部１ｕｐ、下面部１ｌｗ]の組、[前方側面部１ｆ、後方側面部１ｂ]の組、[右側面部１ｒ、左側面部１ｌ]の組が、それぞれ対向する位置関係となる。
【００１５】
ここで、家庭紙収納箱１のサイズは、図１に示されるように１５０ｍｍ×１０５ｍｍ×１８ｍｍである。
この場合、１５０ｍｍは上面部１ｕｐ、下面部１ｌｗ、右側面部１ｒ、及び左側面部１ｌの長手方向の長さであり、家庭紙収納箱１の横方向の長さとなる。また１０５ｍｍは前方側面部１ｆ及び後方側面部１ｂの長手方向の長さであると同時に、上面部１ｕｐ及び下面部１ｌｗの短手方向の長さとなり、家庭紙収納箱１の縦方向の長さである。
また１８ｍｍは家庭紙収納箱１の高さであり、各側面部（１ｆ、１ｂ、１ｒ、１ｌ）の短手方向の長さとなる。
【００１６】
ここで、上記のサイズについては一例であり、各辺について数ｍｍ程度は前後してもよい。
このとき、例えば持ち帰りの容易性等を考慮してサイズを小としてしまうと、広告スペースが犠牲となってしまう。逆に、広告スペースを優先してサイズを大としてしまうと、持ち帰りの容易性が犠牲となったり、或いは家庭紙収納箱１をＤＭ（ダイレクトメール）のように送付する際のコスト増を招く虞がある。
また、特に高さの値は、ＤＭのような送付を行うにあたりポスティングを可能とするという上で重要な要素となる。
上記により例示した家庭紙収納箱１のサイズは、現状においてメール便（郵便法上の「信書」ではない軽量な荷物を運ぶ運輸業者による輸送サービス：送料１６０円程度）等の比較的低料金の宅配サービスの適用が可能なサイズ（ポスティング可能なサイズとも言い換えることができる）に収まっており、なお且つ広告を表示する上での十分なスペースを確保できるサイズと言える。つまり、上記による家庭紙収納箱１のサイズは、持ち帰りの容易化及び送付コストの削減と、広告スペースの確保との２つの相反する要素のバランスを考慮した適当なサイズであると言える。
【００１７】
図１、図２において、上面部１ｕｐには、家庭紙収納箱１内部に収納されるティッシュペーパーを取り出すにあたり必要となる取出口を形成するための蓋部２が接続されている。
この蓋部２は、図中のミシン目Ｍを伴って上面部１ｕｐに剥離可能に接続されている。
本例の場合、蓋部２は、その全周にわたってミシン目Ｍが施されるのではなく、図示するようにその一部がミシン目Ｍを伴わずに上面部１ｕｐに連接されている。
これにより、蓋部２が上面部１ｕｐから完全に切除されることが防止されており、当該蓋部２がミシン目Ｍに従って剥離されて家庭紙収納箱１内部のティッシュペーパーが取り出し可能とされた状態（つまりティッシュペーパー製品としての利用状態）においても、蓋部２が有効な広告表示スペースとして機能するように図られている。
【００１８】
図２に示すカートンブランクについて説明する。
上面部１ｕｐには、その長手方向辺の一方の辺に対し右側面部１ｒが連接されている。
また他方の長手方向辺には、後述する組み立て時において左側面部１ｌと接着する接着辺として機能する接着用フラップ１ｕｐ-fが連接されている。
またこの場合、上面部１ｕｐの一方の短手方向辺には、前面側挿入用フラップ１ｕｐffと前面側フラップ付け根部１ｕｐfbとから成る前面側独立可動部１ｕｐfが形成され、また他方の短手方向辺には、後面側挿入用フラップ１ｕｐbfと後面側フラップ付け根部１ｕｐbbとから成る後面側独立可動部１ｕｐbが形成される。なお、これら前面側独立可動部１ｕｐf、後面側独立可動部１ｕｐbについては後述する。
【００１９】
上面部１ｕｐに連接された右側面部１ｒには、下面部１ｌｗが連接されている。
当該下面部１ｌｗには、上記右側面部１ｒと連接された方の長手方向辺とは逆側の長手方向辺に左側面部１ｌが連接されている。
また下面部１ｌｗの一方の短手方向辺には、前方側面部１ｆが連接され、他方の短手方向辺には後方側面部１ｂが連接されている。
【００２０】
前方側面部１ｆには、下面部１ｌｗとの連接部分における一部に、スリット３fが形成されている。同様に後方側面部１ｂには、下面部１ｌｗとの連接部分における一部にスリット３bが形成されている。
なお、これらスリット３f、スリット３bの役割については後述する。
【００２１】
また、前方側面部１ｆ、後方側面部１ｂに対しては、下面部１ｌｗと連接される辺とは逆側の辺に対して、それぞれ折り曲げ可能なフラップ（差し込み用のフラップ）が連接されている。ここで、前方側面部１ｆに連接される差し込み用のフラップについては前側差込用フラップ１ｆ-fとする。また、後方側面部１ｂに対して連接される差し込み用のフラップは後側差込用フラップ１ｂ-fとする。
【００２２】
また、右側面部１ｒ、左側面部１ｌの各短手方向辺に対しても、折り曲げ可能なフラップがそれぞれ連接されている。図示するように右側面部１ｒにおける前方側面部１ｆが形成される方向と同方向側の短手方向辺に連接されるフラップはフラップ１ｒ-ff、後方側面部１ｂが形成される方向と同方向側の短手方向辺に連接されるフラップはフラップ１ｒ-fbとする。
同様に左側面部１lの前方側面部１ｆが形成される方向と同方向側の短手方向辺に連接されるフラップはフラップ１ｌ-ff、後方側面部１ｂが形成される方向と同方向側の短手方向辺に連接されるフラップはフラップ１ｌ-fbとする。
【００２３】
続いて、図２に示すカートンブランクの組み立てについて説明する。
組み立ては、各部の折り曲げと一部接着とにより行う。
例えば、先ずは右側面部１ｒを下面部１ｌｗとの連接部分において折り曲げる。そして、上面部１ｕｐを、右側面部１ｒと連接部分において折り曲げた上で、上面部１ｕｐに連接された接着用フラップ１ｕｐ-fを折り曲げる。
このとき、接着用フラップ１ｕｐ-fにはその表面側に接着剤を塗布しておき、その状態において、左側面部１ｌを下面部１ｌｗとの連接部分で折り曲げることで、当該左側面部１ｌの裏面を接着用フラップ１ｕｐ-fの表面側に接着する。これにより、カートンブランクを筒状に組み立てる。
【００２４】
図３の斜視図は、このように筒状に組み立てられた際のカートンブランク（家庭紙収納箱１）の様子を示している。
この状態では、右側面部１ｒ，左側面部１ｌのそれぞれのフラップ（１ｒ-ff,１ｒ-fb、及び１ｌ-ff,１ｌ-fb）、及び前方側面部１ｆと後方側面部１ｂが非折り曲げ状態となっており、前方側、及び後方側にそれぞれ開口部が形成されている。
これら２つの開口部のうち何れかの開口部から、複数枚のティッシュペーパーを筒内に収納する。具体的には、例えば薄葉状のペーパーの２枚１組を１枚のティッシュペーパーＰとして、複数枚のティッシュペーパーＰをいわゆるポップアップ方式で折り畳む（ティッシュペーパーＰ１枚１枚が継続して箱から取り出されるようにティッシュペーパーＰを１枚１枚交互に折り重ねる）。そしてこのように折り畳まれた複数枚のティッシュペーパーＰを上記開口部より筒内に挿入する。
或いは、ポップアップ方式で折り畳まれたティッシュペーパーの束をビニールで包装したものを上記開口部から挿入することもできる。この場合、上記ビニールにはその一部にミシン目等による開け口が形成されており、挿入は、当該開け口が上面部１ｕｐにおける蓋部２の下方に位置するようにして行う。
【００２５】
例えば上記による手法などでティッシュペーパーを筒内に挿入した上で、右側面部１ｒ，左側面部１ｌのそれぞれのフラップ（１ｒ-ff,１ｒ-fb、及び１ｌ-ff,１ｌ-fb）を折り曲げ、さらに前方側面部１ｆと前側差込用フラップ１ｆ-f、及び後方側面部１ｂと差込用フラップ１ｂ-fとを折り曲げる。そして、筒状に組み上がった本体の開口部を閉塞するようにして、前側差込用フラップ１ｆ-f、後側差込用フラップ１ｂ-fのそれぞれを、上記のように折り曲げれたフラップ１ｒ-ff,１ｒ-fb、フラップ１ｌ-ff,１ｌ-fbにそれぞれ係合させるようにして本体内側方向に差し込む。
これにより、上記前方側面部１ｆ、後方側面部１ｂがそれぞれ本体側に対して開閉自在に係止され、それぞれの開口部は塞がれた状態となる。
【００２６】
また、本実施の形態の家庭紙収納箱１には、上記のように係止状態とされた前方側面部１ｆ、後方側面部１ｂの係止をさらに確実なものとするために、前述した前面側独立可動部１ｕｐf（前面側挿入用フラップ１ｕｐff及び前面側フラップ付け根部１ｕｐfb）、及び後面側独立可動部１ｕｐf（後面側挿入用フラップ１ｕｐbfと後面側フラップ付け根部１ｕｐbb）と、さらにスリット３fとスリット３bとを設けるものとしている。
【００２７】
前面側独立可動部１ｕｐfは、上面部１ｕｐにおける箱前面側の短手方向辺に対して２つの切り込みが入れられることで、上面部１ｕｐから独立して動かすことができるように形成されている。
同様に、後面側独立可動部１ｕｐfは、上面部１ｕｐにおける箱後面側の短手方向辺に対して２つの切り込みが入れられることで上面部１ｕｐから独立して動かすことができるように形成されている。
図２や図３を参照して分かるように、前面側独立可動部１ｕｐfにおいては、前面側挿入用フラップ１ｕｐffが上面部１ｕｐにおける箱前面側の短手方向辺よりもさらに前方にはみ出すようにして形成されている。
また、後面側独立可動部１ｕｐbにおいても、後面側挿入用フラップ１ｕｐbfは、上面部１ｕｐにおける箱後面側の短手方向辺からさらに後方にはみ出すようにして形成されている。
【００２８】
一方で、スリット３ｆは、前述したように前方側面部１ｆが開閉自在に係止された状態において、その両端位置が、前面側独立可動部１ｕｐfの形成のために施された上述の２つの切り込みの位置とそれぞれ一致するようにして形成されている。換言すれば、前方側面部１ｆが開閉自在に係止された状態において、前面側挿入用フラップ１ｕｐffを挿通できる位置に形成されているものである。
またスリット３bは、前述のように後方側面部１ｂが開閉自在に係止された状態において、その両端位置が後面側独立可動部１ｕｐbの形成のために施された２つの切り込みの位置とそれぞれ一致するようにして形成されており、従って後面側挿入用フラップ１ｕｐbfを挿通できる位置に形成されていることになる。
【００２９】
図４は、これらスリット３f、スリット３bに対し、前面側挿入用フラップ１ｕｐff、後面側挿入用フラップ１ｕｐbfをそれぞれ挿入する際の様子を示している。
挿入にあたっては、図のように前面側フラップ付け根部１ｕｐfb、後面側フラップ付け根部１ｕｐbbを上面部１ｕｐとの連接部分において上側に折り曲げ、さらに前面側挿入用フラップ１ｕｐff、後面側挿入用フラップ１ｕｐbfを、それぞれ前面側フラップ付け根部１ｕｐfbとの連接部分、後面側フラップ付け根部１ｕｐbbとの連接部分において下側に折り曲げた状態とする。そしてその状態から、前面側フラップ付け根部１ｕｐfb、後面側フラップ付け根部１ｕｐbbを下側に曲げ返すようにして、前面側挿入用フラップ１ｕｐff、後面側挿入用フラップ１ｕｐfbをそれぞれスリット３f、スリット３bに対して挿入する。
【００３０】
このように前面側挿入用フラップ１ｕｐffをスリット３fに、また後面側挿入用フラップ１ｕｐbfをスリット３bにそれぞれ挿入することで、前述のように開閉自在に係止された状態にある前方側面部１ｆ、後方側面部１ｂをそれぞれ係止することができ、これにより前方側面部１ｆ、後方側面部１ｂの本体側に対する係止状態をそれぞれより強固なものとすることができる。
【００３１】
以上で説明したように本実施の形態の家庭紙収納箱１によれば、前方側面部１ｆと後方側面部１ｂがそれぞれフラップの差し込みにより開閉自在に係止されるので、前述した本出願人が想起した広告手法、すなわち家庭紙収納箱をその用途を終えた後に二次利用できるようにすることで広告の露出・提示機会をさらに高めるという広告手法を採るにあたって、上記二次利用に好適な収納箱を提供することができる。
ここで、一般的な家庭紙収納箱では、側面部は接着により係止されるものとなるため、二次利用にあたり何れかの側面部を開けようとした際に、箱の破損が生じる虞がある。これに対し本実施の形態の家庭紙収納箱１によれば、２つの側面部が開閉自在に係止されることで、このような破損の発生を防止して、二次利用に好適な家庭紙収納箱とすることができる。
なお且つ、本実施の形態の家庭紙収納箱１のサイズは、街頭等で配布した際の持ち帰りの容易さやＤＭのように送付した際の送料の削減の面で有利となるように設定しており、この面でも上記の広告手法に適用して好適となる。
【００３２】
ここで、二次利用として、例えばインターネットオークションの出品者が落札者に対して商品を送付する際の商品収納箱として本例の家庭紙収納箱１を利用するという場合には、以下のような優れた効果を期待できる。
すなわち、インターネットオークションに個人出品する場合、出品者は、商品の送付に適当な箱を持ち合わせていない場合が多く、またそのような箱を購入するにも資金が無駄となる。このような背景より、家庭紙収納箱１の二次利用の需要は非常に高いと推測され、従ってその分、広告の露出・提示機会の増加を期待できる。つまり、家庭紙収納箱１が出品者からさらに落札者に送付されれば、出品者以外の他の人物にも広告の提示を行うことができ、広告の露出・提示の機会が増える。従って上記のように二次利用の需要が高い分、広告の露出・提示の機会も増えるものである。
【００３３】
また、本実施の形態では、蓋部２のミシン目Ｍは当該蓋部２の全周にわたっては形成せず、蓋部２が上面部ｕｐの一部に連接されるようにしたが、これにより、使用時に蓋部２が上面部ｕｐから完全に切除されないようにして、使用時に蓋部２が有効な広告スペースとして残されるようにできる。
【００３４】
また本実施の形態では、スリット３f、スリット３bと、前面側挿入用フラップ１ｕｐff、後面側挿入用フラップ１ｕｐfbとを設けたことで、前方側面部１ｆ、後方側面部１ｂの係止を、それぞれ前側差込用フラップ１ｆ-fによる係止、後側差込用フラップ１ｂ-fによる係止と共に、さらに前面側挿入用フラップ１ｕｐffによる係止、後面側挿入用フラップ１ｕｐfbによる係止により二重で行うことができる。
このような二重の係止により、前方側面部１ｆ、後方側面部１ｂについてそれぞれ接着によらずとも十分な係止強度を確保でき、家庭紙収納箱１の一次利用時や二次利用時の不慮の事故（特に二次利用時における発送時に収容物が箱外に飛び出てしまう等）を強固に防止できる。
【００３５】
なお、本発明は、これまでで説明した具体例に限定されるべきものではない。
例えばこれまでの説明では、家庭紙収納箱１が有する４つの側面部のうち２つの側面部をフラップの差し込みで開閉自在に係止するものとしたが、フラップの差し込みによる開閉自在の係止は、少なくとも１つの側面部について行うようにすればよい。
【００３６】
またこれまでの説明では、二重の係止を行うためのスリット（３f、３b）が形成された差込用フラップ（１ｆ-f、１ｂ-f）を、下面部１ｌｗ側に連接されるように形成するものとしたので、上記スリットに挿入されるべき挿入用フラップを上面部１ｕｐ側に連接されるように形成するものとしたが、逆に上面部１ｕｐ側に連接されるように上記スリットの形成された差込用フラップを形成するとした場合には、上記スリットに挿入されるべき挿入用フラップを、下面部１ｌｗ側に連接されるように形成することもできる。
【００３７】
またこれまでの説明では、本発明の家庭紙収納箱の収納物をティッシュペーパーとする場合を例示したが、前述の広告手法では、広告に対し付加価値（お得感）を与えて短時間での廃棄を免れることを意図しているので、この点に鑑みれば、収納物はティッシュペーパー以外の家庭紙であってもよい。ティッシュペーパー以外の家庭紙としては、例えばキッチンペーパーやウエットティッシュなどを挙げることができる。
【符号の説明】
【００３８】
１  家庭紙収納箱、
１ｕｐ  上面部、
１ｕｐ-f  接着用フラップ
１ｕｐf  前面側独立可動部、
１ｕｐff  前面側挿入用フラップ、
１ｕｐfb  前面側フラップ付け根部、
１ｕｐb  後面側独立可動部、
１ｕｐbf  後面側挿入用フラップ、
１ｕｐbb  後面側フラップ付け根部、
１ｌｗ  下面部、
１ｆ  前方側面部、
１ｆ-f  前側差込用フラップ
１ｂ  後方側面部、
１ｂ-f  後側差込用フラップ
１ｒ  右側面部、
１ｌ  左側面部、
１ｒ-ff,１ｒ-bf,１ｌ-ff,１ｌ-bf  フラップ
２  蓋部、
３b,３f  スリット、
Ｍ  ミシン目
【図１】
2012012029.tif 000003
【図２】
2012012029.tif 000004
【図３】
2012012029.tif 000005
【図４】
2012012029.tif 000006